(57)【要約】【課題】電話番号を知られずにメンバ間で連絡を行う。【解決手段】連絡網データテーブル１２２の各行は該当のメンバのアクセスキーと連絡予定順序を含む。電話番号登録処理では、メンバの電話端末からのアクセスキーを含む行を検索し、発電話番号を書き込む。また、後の連絡予定順序のメンバへの連絡の指示があった場合、発電話番号を含む行を検索し、連絡予定順序を読み出し、それよりも後の連絡予定順序を含む行を検索して電話番号を読み出し、発電話番号の電話端末と読み出された電話番号の電話端末とを接続する。【選択図】図３
2014138293.tif 000002
【特許請求の範囲】
【請求項１】
連絡網サーバの動作方法であって、
前記連絡網サーバは、複数のメンバごとの行を備え、且つ、前記各行が、該当のメンバに付与されたアクセスキーと該当のメンバの連絡予定順序を含む連絡網データテーブルを備え、
前記動作方法は、
前記連絡網サーバの連絡網管理部が、いずれかのメンバに使用される電話端末が前記連絡網サーバに接続し、且つ、当該メンバに知らされたアクセスキーが入力された場合、前記連絡網データテーブルから、当該アクセスキーを含む行を検索し、前記連絡網サーバに接続した電話端末の電話番号を当該行に書き込む電話番号登録ステップと、
前記連絡網サーバの連絡網管理部が、いずれかのメンバに使用される電話端末が前記連絡網サーバに接続し、且つ、当該メンバより後の連絡予定順序のメンバへの連絡の指示があった場合、前記連絡網データテーブルから、前記連絡網サーバに接続した電話端末の電話番号を含む行を検索し、当該行から連絡予定順序を読み出し、前記連絡網データテーブルから、当該連絡予定順序よりも後の連絡予定順序を含む行を検索し、当該行から電話番号を読み出す後電話番号検索ステップと、
前記連絡網サーバの電話回線接続部が、前記連絡網サーバに接続した電話端末と前記後の連絡予定順序を含む行から読み出された電話番号の電話端末とを接続する後電話端末接続ステップと
を含むことを特徴とする連絡網サーバの動作方法。
【請求項２】
前記連絡網サーバの連絡網管理部が、前記連絡網サーバに接続した電話端末と前記後の連絡予定順序を含む行から読み出された電話番号の電話端末との接続が成功した場合、前記後の連絡予定順序を含む行に直前メンバ情報として、前記連絡網サーバに接続した電話端末の電話番号を書き込む直前メンバ情報書込ステップと、
前記連絡網サーバの連絡網管理部が、いずれかのメンバに使用される電話端末が前記連絡網サーバに接続し、且つ、当該メンバより前の連絡予定順序のメンバへの連絡の指示があった場合、前記連絡網データテーブルから、前記連絡網サーバに接続した電話端末の電話番号を含む行を検索し、当該行から直前メンバ情報を読み出す直前メンバ情報検索ステップと、
前記連絡網サーバの電話回線接続部が、前記連絡網サーバに接続した電話端末と当該直前メンバ情報の電話番号の電話端末とを接続する前電話端末接続ステップと
を含むことを特徴とする請求項１記載の連絡網サーバの動作方法。
【請求項３】
前記電話番号登録ステップでは、前記連絡網サーバの連絡網管理部が、前記連絡網サーバに接続した電話端末の電話番号以外の電話番号があるか否かを判定し、前記連絡網サーバに接続した電話端末の電話番号以外の電話番号がないなら、前記連絡網サーバに接続した電話端末の電話番号と最高の優先度を行に書き込む一方、前記連絡網サーバに接続した電話端末の電話番号以外の電話番号があり、且つ、追加の電話番号が入力されたなら、当該追加の電話番号と最低の優先度を行に書き込み、
前記後電話番号検索ステップでは、前記連絡網サーバの連絡網管理部が、前記後の連絡予定順序を含む行から優先度の高い順に電話番号を読み出す
ことを特徴とする請求項１または２記載の連絡網サーバの動作方法。
【請求項４】
前記後電話番号検索ステップで、前記連絡網サーバの連絡網管理部が、前記連絡網データテーブルから、前記連絡網サーバに接続した電話端末の電話番号を含む行を検索し、当該行から連絡予定順序を読み出し、前記連絡網データテーブルから、当該連絡予定順序の次の連絡予定順序を含む行を検索し、当該行から電話番号を読み出し、前記連絡網サーバに接続した電話端末と当該次の連絡予定順序を含む行から読み出された電話番号の電話端末との接続が失敗した場合、前記連絡網サーバの連絡網管理部が、さらに次の連絡予定順序を含む行を検索し、当該行から電話番号を読み出し、
前記後電話端末接続ステップで、前記連絡網サーバの電話回線接続部が、前記連絡網サーバに接続した電話端末と当該さらに次の連絡予定順序を含む行から読み出された電話番号の電話端末とを接続する
ことを特徴とする請求項１または２記載の連絡網サーバの動作方法。
【請求項５】
前記連絡網サーバの連絡網管理部が、前記連絡網サーバが前記各メンバの連絡予定順序および識別記号を受信した場合、前記連絡網データテーブルを作成し、当該各識別記号につき、該当の連絡予定順序およびアクセスキーを該当の行に書き込む連絡網データテーブル作成ステップ
を含むことを特徴とする請求項１ないし４のいずれかに記載の連絡網サーバの動作方法。
【請求項６】
連絡網サーバであって、
複数のメンバごとの行を備え、且つ、前記各行が、該当のメンバに付与されたアクセスキーと該当のメンバの連絡予定順序を含む連絡網データテーブルと、
いずれかのメンバに使用される電話端末が前記連絡網サーバに接続し、且つ、当該メンバに知らされたアクセスキーが入力された場合、前記連絡網データテーブルから、当該アクセスキーを含む行を検索し、当該行に当該電話端末の電話番号を書き込み、いずれかのメンバに使用される電話端末が前記連絡網サーバに接続し、且つ、当該メンバより後の連絡予定順序のメンバへの連絡の指示があった場合、前記連絡網データテーブルから、前記連絡網サーバに接続した電話端末の電話番号を含む行を検索し、当該行から連絡予定順序を読み出し、前記連絡網データテーブルから、当該連絡予定順序より後の連絡予定順序を含む行を検索し、当該行から電話番号を読み出し、前記連絡網サーバに接続した電話端末と前記後の連絡予定順序を含む行から読み出された電話番号の電話端末との接続が成功した場合、前記後の連絡予定順序を含む行に直前メンバ情報として、前記連絡網サーバに接続した電話端末の電話番号を書き込み、いずれかのメンバに使用される電話端末が前記連絡網サーバに接続し、且つ、当該メンバより前の連絡予定順序のメンバへの連絡の指示があった場合、前記連絡網データテーブルから、前記連絡網サーバに接続した電話端末の電話番号を含む行を検索し、当該行から直前メンバ情報を読み出す連絡網管理部と、
前記連絡網サーバに接続した電話端末と前記後の連絡予定順序を含む行から読み出された電話番号の電話端末とを接続し、前記連絡網サーバに接続した電話端末と当該直前メンバ情報の電話番号の電話端末とを接続する電話回線接続部と
を備えることを特徴とする連絡網サーバ。
【発明の詳細な説明】
【技術分野】
【０００１】
本発明は、連絡網サーバの動作方法および連絡網サーバに関するものである。
【背景技術】
【０００２】
学校のクラス等に所属するメンバに同一の情報を伝達する場合に、１．各メンバの電話番号と連絡順序が記載された連絡簿を作成し、連絡簿に従って各メンバが電話をかけて会話により情報を伝達する方法がある。また、会話以外による連絡の方法としては、２．音声メッセージが蓄積されたサーバ等に各メンバが発信し、情報を聴取する方法（非特許文献１）等がある。
【先行技術文献】
【非特許文献】
【０００３】
【非特許文献１】「伝言ダイヤル」、［ｏｎｌｉｎｅ］、ＮＴＴコミュニケーションズ、［平成２４年１２月２５日検索］、インターネット＜ＵＲＬ：http://506506.ntt.com/service/dengon/index.html＞
【発明の概要】
【発明が解決しようとする課題】
【０００４】
しかしながら、上記１の方法では、メンバの電話番号が共有されてしまう。個人情報保護の観点から、たとえ管理者（学校のクラスであれば先生）であっても電話番号を教えたくないというケースがあり、この方法での連絡は困難になってきている。
【０００５】
上記２の方法では、一方的に情報が流れるため、各メンバが情報を理解したかを確認することが困難である。たとえ情報聴取後に理解したかを数字入力等で確認できたとしても、理解できなかった場合には、管理者からそのメンバへ電話をかける必要があり、そのためには電話番号を知っておく必要がある。
【０００６】
以上のように、従来においては、電話番号を知られずにメンバ間で連絡を行うことができない。
【０００７】
本発明は、上記の課題に鑑みてなされたものであり、その目的とするところは、電話番号を知られずにメンバ間で連絡を行う技術を提供することにある。
【課題を解決するための手段】
【０００８】
上記の課題を解決するために、第１の本発明は、連絡網サーバの動作方法であって、前記連絡網サーバは、複数のメンバごとの行を備え、且つ、前記各行が、該当のメンバに付与されたアクセスキーと該当のメンバの連絡予定順序を含む連絡網データテーブルを備え、前記動作方法は、前記連絡網サーバの連絡網管理部が、いずれかのメンバに使用される電話端末が前記連絡網サーバに接続し、且つ、当該メンバに知らされたアクセスキーが入力された場合、前記連絡網データテーブルから、当該アクセスキーを含む行を検索し、前記連絡網サーバに接続した電話端末の電話番号を当該行に書き込む電話番号登録ステップと、前記連絡網サーバの連絡網管理部が、いずれかのメンバに使用される電話端末が前記連絡網サーバに接続し、且つ、当該メンバより後の連絡予定順序のメンバへの連絡の指示があった場合、前記連絡網データテーブルから、前記連絡網サーバに接続した電話端末の電話番号を含む行を検索し、当該行から連絡予定順序を読み出し、前記連絡網データテーブルから、当該連絡予定順序よりも後の連絡予定順序を含む行を検索し、当該行から電話番号を読み出す後電話番号検索ステップと、前記連絡網サーバの電話回線接続部が、前記連絡網サーバに接続した電話端末と前記後の連絡予定順序を含む行から読み出された電話番号の電話端末とを接続する後電話端末接続ステップとを含むことを特徴とする。
【０００９】
例えば、前記動作方法は、前記連絡網サーバの連絡網管理部が、前記連絡網サーバに接続した電話端末と前記後の連絡予定順序を含む行から読み出された電話番号の電話端末との接続が成功した場合、前記後の連絡予定順序を含む行に直前メンバ情報として、前記連絡網サーバに接続した電話端末の電話番号を書き込む直前メンバ情報書込ステップと、前記連絡網サーバの連絡網管理部が、いずれかのメンバに使用される電話端末が前記連絡網サーバに接続し、且つ、当該メンバより前の連絡予定順序のメンバへの連絡の指示があった場合、前記連絡網データテーブルから、前記連絡網サーバに接続した電話端末の電話番号を含む行を検索し、当該行から直前メンバ情報を読み出す直前メンバ情報検索ステップと、前記連絡網サーバの電話回線接続部が、前記連絡網サーバに接続した電話端末と当該直前メンバ情報の電話番号の電話端末とを接続する前電話端末接続ステップとを含む。
【００１０】
例えば、前記電話番号登録ステップでは、前記連絡網サーバの連絡網管理部が、前記連絡網サーバに接続した電話端末の電話番号以外の電話番号があるか否かを判定し、前記連絡網サーバに接続した電話端末の電話番号以外の電話番号がないなら、前記連絡網サーバに接続した電話端末の電話番号と最高の優先度を行に書き込む一方、前記連絡網サーバに接続した電話端末の電話番号以外の電話番号があり、且つ、追加の電話番号が入力されたなら、当該追加の電話番号と最低の優先度を行に書き込み、前記後電話番号検索ステップでは、前記連絡網サーバの連絡網管理部が、前記後の連絡予定順序を含む行から優先度の高い順に電話番号を読み出す。
【００１１】
例えば、前記後電話番号検索ステップで、前記連絡網サーバの連絡網管理部が、前記連絡網データテーブルから、前記連絡網サーバに接続した電話端末の電話番号を含む行を検索し、当該行から連絡予定順序を読み出し、前記連絡網データテーブルから、当該連絡予定順序の次の連絡予定順序を含む行を検索し、当該行から電話番号を読み出し、前記連絡網サーバに接続した電話端末と当該次の連絡予定順序を含む行から読み出された電話番号の電話端末との接続が失敗した場合、前記連絡網サーバの連絡網管理部が、さらに次の連絡予定順序を含む行を検索し、当該行から電話番号を読み出し、前記後電話端末接続ステップで、前記連絡網サーバの電話回線接続部が、前記連絡網サーバに接続した電話端末と当該さらに次の連絡予定順序を含む行から読み出された電話番号の電話端末とを接続する。
【００１２】
例えば、前記動作方法は、前記連絡網サーバの連絡網管理部が、前記連絡網サーバが前記各メンバの連絡予定順序および識別記号を受信した場合、前記連絡網データテーブルを作成し、当該各識別記号につき、該当の連絡予定順序およびアクセスキーを該当の行に書き込む連絡網データテーブル作成ステップを含む。
【００１３】
第２の本発明は、連絡網サーバであって、複数のメンバごとの行を備え、且つ、前記各行が、該当のメンバに付与されたアクセスキーと該当のメンバの連絡予定順序を含む連絡網データテーブルと、いずれかのメンバに使用される電話端末が前記連絡網サーバに接続し、且つ、当該メンバに知らされたアクセスキーが入力された場合、前記連絡網データテーブルから、当該アクセスキーを含む行を検索し、当該行に当該電話端末の電話番号を書き込み、いずれかのメンバに使用される電話端末が前記連絡網サーバに接続し、且つ、当該メンバより後の連絡予定順序のメンバへの連絡の指示があった場合、前記連絡網データテーブルから、前記連絡網サーバに接続した電話端末の電話番号を含む行を検索し、当該行から連絡予定順序を読み出し、前記連絡網データテーブルから、当該連絡予定順序より後の連絡予定順序を含む行を検索し、当該行から電話番号を読み出し、前記連絡網サーバに接続した電話端末と前記後の連絡予定順序を含む行から読み出された電話番号の電話端末との接続が成功した場合、前記後の連絡予定順序を含む行に直前メンバ情報として、前記連絡網サーバに接続した電話端末の電話番号を書き込み、いずれかのメンバに使用される電話端末が前記連絡網サーバに接続し、且つ、当該メンバより前の連絡予定順序のメンバへの連絡の指示があった場合、前記連絡網データテーブルから、前記連絡網サーバに接続した電話端末の電話番号を含む行を検索し、当該行から直前メンバ情報を読み出す連絡網管理部と、前記連絡網サーバに接続した電話端末と前記後の連絡予定順序を含む行から読み出された電話番号の電話端末とを接続し、前記連絡網サーバに接続した電話端末と当該直前メンバ情報の電話番号の電話端末とを接続する電話回線接続部とを備えることを特徴とする。
【発明の効果】
【００１４】
本発明によれば、電話番号を知られずにメンバ間で連絡を行うことができる。
【図面の簡単な説明】
【００１５】
【図１】本実施の形態に係る連絡網システムの概略構成を示す機能ブロック図である。
【図２】連絡網一覧テーブルの一例を示す図である。
【図３】連絡網データテーブルの一例を示す図である。
【図４】連絡網の初期設定のフローチャートである。
【図５】連絡網表示画面の一例を示す図である。
【図６】各メンバによる特番への発呼の際のフローチャートである。
【図７】電話番号登録処理のフローチャートである。
【図８】後メンバ接続処理のフローチャートである。
【図９】前メンバ接続処理のフローチャートである。
【図１０】電話番号操作処理のフローチャートである。
【図１１】連絡網のリセットのフローチャートである。
【図１２】電話番号削除処理のフローチャートである。
【図１３】優先度変更処理のフローチャートである。
【発明を実施するための形態】
【００１６】
以下、本発明の実施の形態について図面を参照して説明する。  
図１は、本実施の形態に係る連絡網システムの概略構成を示す機能ブロック図である。
【００１７】
連絡網システムは、連絡網サーバ１と、複数の電話端末２と、少なくとも１台のＰＣ端末３とが、情報通信網（電話網、インターネット網など）に接続されてなるものであり、メンバＡ、Ｂ、Ｃ、Ｄ、…の間で伝言のように連絡事項を伝えるための連絡網として用いられる。連絡網サーバ１は、別のメンバの連絡網としても用いることができる。
【００１８】
メンバＡは、連絡網の管理者（連絡網管理者）であり、２つの電話端末（電話番号「03-1111-1111」の電話端末Ａ１と電話番号「090-1111-1111」の電話端末Ａ２）とＰＣ端末３を用いる。このように、メンバは、連絡網管理者を兼ねていてもよい。メンバＢは、１つの電話端末２（電話番号「03-2222-2222」の電話端末Ｂ）を用いる。メンバＣは、２つの電話端末２（電話番号「03-3333-3333」の電話端末Ｃ１と電話番号「090-3333-3333」の電話端末Ｃ２）を用いる。メンバＤは、１つの電話端末２（電話番号「03-4444-4444」の電話端末Ｄ）を用いる。このように、メンバは、少なくとも１つの電話端末を用い、２つ以上の電話端末を用いるようにしてもよい。以下、連絡網管理者については、ＰＣ端末３を用いることとして、説明を行う。
【００１９】
連絡網サーバ１は、連絡網としての中心的な処理、管理を行う連絡網管理部１１、連絡網として必要な情報を記憶する連絡網記憶部１２、連絡網を管理する連絡網管理者に対する表示を行う連絡網表示部１３、各メンバに付与されるアクセスキーを管理するアクセスキー管理部１４、各連絡網に付与される特番を管理する特番管理部１５、メンバに使用される電話端末に電話接続する電話回線接続部１６、電話端末に音声を送出する音声送出部１７および電話端末から入力される番号を検出する入力番号検出部１８を備える。  
連絡網記憶部１２は、１つの連絡網一覧テーブル１２１ならびに、連絡網ごとの連絡網データテーブル１２２を備える。
【００２０】
図２は、連絡網一覧テーブルの一例を示す図である。  
連絡網一覧テーブル１２１は、連絡網ごとの行を備え、行は連絡網だけに与えられた電話番号（以下、特番）と、連絡網の連絡網管理者だけが知るパスワードとを備える。
【００２１】
図３は、連絡網データテーブルの一例を示す図である。  
連絡網データテーブル１２２は、メンバごとの行を備え、行は該当のメンバの連絡予定順序、該当のメンバへの連絡が終わったことを示す連絡済順序、該当のメンバに付与されるアクセスキー、該当のメンバを示す識別記号、該当のメンバに使用される１つ以上の電話端末の電話番号および各電話番号の優先度、該当のメンバに対して連絡を行ったメンバを示す直前メンバ情報を備える。直前メンバ情報は、該当のメンバに対して連絡を行ったメンバが連絡に使用した電話端末の電話番号である。
【００２２】
図４は、連絡網の初期設定のフローチャートである。  
Ｓ１：連絡網管理者は、連絡網サーバ１に連絡網の初期設定を行うべく、ＰＣ端末３から連絡網サーバ１へ接続する。以下、この連絡網を単に連絡網という。連絡網管理者は、連絡網サーバ１のＵＲＬ（Uniform Resource Locator）などを予め知っており、これをＰＣ端末３に入力し、連絡網サーバ１へ接続する。  
Ｓ３：ＰＣ端末３が連絡網サーバ１に接続したら、連絡網表示部１３がＰＣ端末３に所定の連絡網作成画面を表示する。  
Ｓ５：連絡網管理者は、連絡網作成画面において、各メンバにつき、（ａ）連絡予定順序、（ｂ）識別記号（氏名等でもよい）を入力する。連絡網管理者は、各メンバの電話番号を知らず、よって、連絡網作成画面では、電話番号の入力は不要となっている。
【００２３】
連絡網管理者の操作で、ＰＣ端末３は、連絡予定順序、識別記号を連絡網サーバ１に送信し、連絡網サーバ１はこれらを受信する。  
Ｓ７：これにより、特番管理部１５は、連絡網に特番を付与し、連絡網管理部１１は、特番管理部１５から特番を取得する。  
Ｓ９：また、アクセスキー管理部１４は、各識別記号につき、つまり、各メンバにつき、アクセスキーを付与し、連絡網管理部１１は、アクセスキー管理部１４からアクセスキーを取得する。
【００２４】
Ｓ１１：次に、連絡網管理部１１は、連絡網記憶部１２に連絡網の連絡網データテーブル１２２を作成し、各行に（１）連絡予定順序、（３）アクセスキー、（４）識別記号を書き込む。  
Ｓ１１は、連絡網データテーブル作成ステップに該当するものである。  
Ｓ１３：次に、連絡網表示部１３が、図５のように、ＰＣ端末３に特番、（１）連絡予定順序、（３）アクセスキー、（４）識別記号を表示する。
【００２５】
また、最後の連絡予定順序（「４」）の次の連絡順序は、最初の連絡順序（「１」）となることを示すべく、矢印などが表示される。  
Ｓ１５：連絡網管理者は、ＰＣ端末３に対し、例えば、自分で決めたパスワードを入力する。  
例えば、連絡網管理者の操作で、ＰＣ端末３はパスワードを連絡網サーバ１に送信し、連絡網サーバ１はパスワードを受信する。
【００２６】
Ｓ１７：連絡網管理部１１は、連絡網一覧テーブル１２１に連絡網の行を作成し、特番、パスワードを保存する。  
Ｓ１９：連絡網管理者は、例えば、各メンバが集まっている場所で、特番、アクセスキーを連絡し、これにて処理が終わる。したがって、ここでは、各メンバの電話番号は、連絡網管理者にも、他のメンバにも知られることはない。
【００２７】
図６は、各メンバによる特番への発呼の際のフローチャートである。  
Ｓ２１：メンバは、電話端末から特番へ発呼する。  
Ｓ２３：これにより、電話回線接続部１６は、電話端末と接続する。すなわち、電話端末が連絡網サーバ１に接続したことになる。  
Ｓ２５：電話回線接続部１６は、連絡網管理部１１に特番と、発呼した電話端末の電話番号（以下、発電話番号）を通知する。
【００２８】
Ｓ２７、Ｓ２９：連絡網管理部１１は、特番の連絡網データテーブル１２２（以下、該当連絡網データテーブル１２２）から発電話番号を含む行を検索する。  
Ｓ５０：発電話番号を含む行がないなら（Ｓ２９：ＮＯ）、電話番号登録処理に移行する。  
Ｓ３１：連絡網管理部１１は、発電話番号を含む行があるなら（Ｓ２９：ＹＥＳ）、音声送出部１７に通常用ガイダンスの送出を指示する。  
Ｓ３３：音声送出部１７は、電話回線接続部１６を通して、通常用ガイダンスを電話端末に送出する。  
通常用ガイダンスは、例えば、「連絡予定順序で後のメンバに連絡する場合は「１」を、前のメンバに連絡する場合は「２」を、電話番号の追加、削除などをする場合は「３」を入力してください」という内容である。
【００２９】
Ｓ３５：メンバは、通常用ガイダンスにしたがい、希望の番号を入力する。  
Ｓ３７：入力番号検出部１８は、入力された番号を認識する。  
Ｓ６０、Ｓ７０、Ｓ８０、Ｓ３９、Ｓ４１、Ｓ４３：番号が正しければ、後メンバ接続処理、前メンバ接続処理、電話番号操作処理のいずれかが実行される。  
Ｓ４５：電話回線接続部１６は、番号が間違いなら（Ｓ４３：ＮＯ）、電話端末との接続を切断し、処理が終わる。
【００３０】
図７は、電話番号登録処理のフローチャートである。  
Ｓ５０１：まず、連絡網管理部１１が、音声送出部１７に初回登録用ガイダンスの送出を指示する。  
Ｓ５０３：音声送出部１７は、電話回線接続部１６を通して、初回登録用ガイダンスを電話端末に送出する。  
初回登録用ガイダンスは、例えば、「あなたのアクセスキーを入力してください」という内容である。  
Ｓ５０５：メンバは、初回登録用ガイダンスにしたがい、アクセスキーを入力する。
【００３１】
Ｓ５０７：入力番号検出部１８は、入力されたアクセスキーを認識し、アクセスキーと発電話番号を連絡網管理部１１に通知する。  
Ｓ５０９、Ｓ５１１：連絡網管理部１１は、該当連絡網データテーブル１２２からアクセスキーを含む行を検索する。  
Ｓ５１３、Ｓ５１５：連絡網管理部１１は、アクセスキーを含む行がある（Ｓ５１１：ＹＥＳ）なら、その行から発電話番号以外の電話番号を検索する。  
Ｓ５１７：連絡網管理部１１は、発電話番号以外の電話番号がない（Ｓ５１５：ＮＯ）なら、その行に、発電話番号と最高の優先度を書き込む。  
Ｓ５０５、Ｓ５０９、Ｓ５１７は、電話番号登録ステップに該当するものである。
【００３２】
Ｓ５１９：連絡網管理部１１は、音声送出部１７に登録完了用ガイダンスの送出を指示する。  
Ｓ５２１：音声送出部１７は、電話回線接続部１６を通して、登録完了用ガイダンスを電話端末に送出する。  
登録完了用ガイダンスは、例えば、「登録が完了しましたので電話をお切り下さい」という内容である。  
Ｓ５２３：電話回線接続部１６は、電話端末との接続を切断し、処理が終わる。
【００３３】
Ｓ５３１：連絡網管理部１１は、アクセスキーを含む行がない（Ｓ５１１：ＮＯ）なら、音声送出部１７にエラー用ガイダンスの送出を指示する。  
Ｓ５３３：音声送出部１７は、電話回線接続部１６を通して、エラー用ガイダンスを電話端末に送出する。  
エラー用ガイダンスは、例えば、「アクセスキーが間違っていますので終了します」という内容である。  
Ｓ５３５：電話回線接続部１６は、電話端末との接続を切断し、処理が終わる。
【００３４】
Ｓ５４１：連絡網管理部１１は、発電話番号以外の電話番号がある（Ｓ５１５：ＹＥＳ）なら、音声送出部１７に番号追加用ガイダンスの送出を指示する。  
Ｓ５４３：音声送出部１７は、電話回線接続部１６を通して、番号追加用ガイダンスを電話端末に送出する。  
番号追加用ガイダンスは、例えば、「追加したい電話番号を入力してください」という内容である。
【００３５】
Ｓ５４５：メンバは、番号追加用ガイダンスにしたがい、追加したい電話番号（以下、追加電話番号）を入力する。追加電話番号とは、例えば、図１において、電話端末Ａ１の電話番号が登録済みである場合の電話端末Ａ２の電話番号である。  
Ｓ５４７：入力番号検出部１８は、入力された追加電話番号を認識し、追加電話番号を連絡網管理部１１に通知する。  
Ｓ５４９：連絡網管理部１１は、行に、追加電話番号と最低の優先度を書き込む。
【００３６】
Ｓ５５１：連絡網管理部１１は、音声送出部１７に追加完了用ガイダンスの送出を指示する。  
Ｓ５５３：音声送出部１７は、電話回線接続部１６を通して、追加完了用ガイダンスを電話端末に送出し、電話番号操作処理（Ｓ８０）に移行する。  
追加完了用ガイダンスは、例えば、「電話番号の追加が完了しましたので終了します」という内容である。
【００３７】
図８は、後メンバ接続処理のフローチャートである。  
Ｓ６０１：連絡網管理部１１は、該当連絡網データテーブル１２２から発電話番号を含む行を検索する。
【００３８】
Ｓ６０３：次に、連絡網管理部１１は、発電話番号を含む行から連絡予定順序を読み出し、該当連絡網データテーブル１２２から、読み出した連絡予定順序の次の連絡予定順序を含む行を検索し、行から最高の優先度の電話番号を読み出す。なお、連絡網管理部１１は、この電話番号の電話端末への接続に失敗している場合は、次の優先度の電話番号を読み出す。また、その行の全ての電話番号の電話端末への接続に失敗している場合は、さらに次の連絡予定順序の行についても同様の処理を行い、電話端末への接続が成功するまで、行を変えながら同様の処理を行う。つまり、連絡網管理部１１は、該当連絡網データテーブル１２２から、連絡網サーバ１に接続した電話端末の電話番号を含む行を検索し、当該行から連絡予定順序を読み出し、該当連絡網データテーブル１２２から、当該連絡予定順序よりも後の連絡予定順序を含む行を検索し、当該行から電話番号を読み出す。
【００３９】
なお、連絡網管理部１１は、読み出した連絡予定順序が最後の連絡予定順序（図５では「４」）だった場合は、次の連絡予定順序は、最初の連絡予定順序（図５では「１」）となるので、その最初の連絡予定順序を含む行を検索し、行から最高の優先度の電話番号を読み出す。連絡網管理部１１は、この電話番号の電話端末への接続に失敗している場合は、次の優先度の電話番号を読み出し、電話端末への接続が成功するまで、同様の処理を行う。  
Ｓ６０１、Ｓ６０３は、後電話番号検索ステップに該当するものである。
【００４０】
Ｓ６０５：次に、連絡網管理部１１は、電話回線接続部１６に、後の連絡予定順序を含む行から読み出した電話番号への接続を指示する。  
Ｓ６０７：電話回線接続部１６は、連絡網サーバ１に接続した電話端末の電話番号（発電話番号の電話端末）と後の連絡予定順序を含む行から読み出された電話番号の電話端末とを接続する。  
Ｓ６０７は、後電話端末接続ステップに該当するものである。
【００４１】
Ｓ６１１：電話回線接続部１６は、後の連絡予定順序を含む行から読み出された電話番号の電話端末が話中でなく（Ｓ６０９：ＮＯ）、接続が失敗したなら（Ｓ６１１：ＮＯ）、Ｓ６０３へ戻る。  
Ｓ６１３：連絡網サーバ１に接続した電話端末（発電話番号の電話端末）を使用するメンバは、接続が成功したなら（Ｓ６１１：ＹＥＳ）、後の連絡予定順序を含む行から読み出された電話番号の電話端末を使用するメンバ（後の連絡予定順序のメンバ）に口頭で連絡事項を伝える。
【００４２】
Ｓ６１５：連絡が終わると、一方のメンバがオンフックする。  
Ｓ６１７：これにより、連絡網管理部１１は、Ｓ６０７で使用された電話番号を読み出した行（後の連絡予定順序を含む行）に、連絡済順序（例えば、当該行内の連絡予定順序と同じ情報）を書き込み、当該行に直前メンバ情報として発電話番号を書き込む。  
Ｓ６１７は、直前メンバ情報書込ステップに該当する。  
Ｓ６１９：電話回線接続部１６は、電話端末が話中（Ｓ６０９：ＹＥＳ）なら、または、Ｓ６１７の処理が終わったなら、各電話端末との接続を切断し、処理が終わる。
【００４３】
図９は、前メンバ接続処理のフローチャートである。  
Ｓ７０１：連絡網管理部１１は、該当連絡網データテーブル１２２から発電話番号を含む行を検索する。  
Ｓ７０３：次に、連絡網管理部１１は、行から直前メンバ情報を読み出す。  
なお、Ｓ７０１、Ｓ７０３は、直前メンバ情報検索ステップに該当するものである。  
Ｓ７０５：次に、連絡網管理部１１は、電話回線接続部１６に、読み出した直前メンバ情報の電話番号への接続を指示する。
【００４４】
Ｓ７０７：電話回線接続部１６は、連絡網サーバ１に接続した電話端末の電話番号（発電話番号の電話端末）と直前メンバ情報の電話番号の電話端末とを接続する。  
Ｓ７０７は、前電話端末接続ステップに該当するものである。  
Ｓ７１１：メンバは、接続が成功したなら（Ｓ７０９：ＹＥＳ）、接続した電話端末を使用するメンバ（前のメンバ）に対し、不明点などを問合せる。なお、後のメンバから連絡事項を聞いたとの確認を受けた、つまりいわゆる戻りの連絡を受けた旨を伝えることもできる。  
Ｓ７１３：連絡が終わると、一方のメンバがオンフックする。  
Ｓ７１５：電話回線接続部１６は、接続が失敗したなら（Ｓ６０９：ＮＯ）、または、Ｓ７１３が終わったなら、各電話端末との接続を切断し、処理が終わる。
【００４５】
図１０  電話番号操作処理のフローチャートである。  
Ｓ８０１：連絡網管理部１１は、音声送出部１７に番号操作用ガイダンスの送出を指示する。  
Ｓ８０３：音声送出部１７は、電話回線接続部１６を通して、番号操作用ガイダンスを電話端末に送出する。  
番号操作用ガイダンスは、例えば、「電話番号を削除する場合は「１」を、優先度を変更する場合は「２」を入力してください」という内容である。  
Ｓ８０５：メンバは、番号操作用ガイダンスにしたがい、希望の番号を入力する。
【００４６】
Ｓ８０７：入力番号検出部１８は、入力された番号を認識する。  
Ｓ９０、Ｓ１００、Ｓ８０９、Ｓ８１１：番号が正しければ、電話番号削除処理、優先度変更処理のいずれかが実行される。  
Ｓ８１３：連絡網管理部１１は、番号が間違いなら（Ｓ８１１：ＮＯ）、音声送出部１７にエラー用ガイダンスの送出を指示する。  
Ｓ８１５：音声送出部１７は、電話回線接続部１６を通して、エラー用ガイダンスを電話端末に送出する。  
エラー用ガイダンスは、例えば、「番号が間違っていますので終了します」という内容である。  
Ｓ８１７：電話回線接続部１６は、電話端末との接続を切断し、処理が終わる。
【００４７】
図１１は、連絡網のリセットのフローチャートである。  
Ｓ１１０１：連絡網管理者は、全てのメンバに連絡事項が伝わったなら、連絡済順序等を消去すべく、ＰＣ端末３から連絡網サーバ１へ接続する。  
Ｓ１１０３：これにより、連絡網表示部１３がＰＣ端末３にパスワード入力画面を表示する。  
Ｓ１１０５：連絡網管理者は、パスワード入力画面において、特番とパスワードとリセット指示を入力する。
【００４８】
ＰＣ端末３は、特番とパスワードとリセット指示を連絡網サーバ１に送信し、連絡網サーバ１はこれらを受信する。  
Ｓ１１０７：連絡網管理部１１は、連絡網一覧テーブル１２１から特番を含む行を検索する。  
Ｓ１１０９：連絡網管理部１１は、その行のパスワードと受信したパスワードが一致するか否かを判定し、一致しない（Ｓ１１０９：ＮＯ）なら、Ｓ１１０３に戻る。  
Ｓ１１１１：連絡網管理部１１は、パスワードが一致した（Ｓ１１０９：ＹＥＳ）なら、特番の連絡網データテーブル１２２から全ての連絡済順序および直前メンバ情報を削除し、処理が終わる。
【００４９】
図１２は、電話番号削除処理のフローチャートである。  
Ｓ９０１：連絡網管理部１１は、音声送出部１７に番号削除用ガイダンスの送出を指示する。  
Ｓ９０３：音声送出部１７は、電話回線接続部１６を通して、番号削除用ガイダンスを電話端末に送出する。  
番号削除用ガイダンスは、例えば、「削除したい電話番号を入力してください」という内容である。
【００５０】
Ｓ９０５：メンバは、番号削除用ガイダンスにしたがい、削除したい電話番号を入力する。  
Ｓ９０７：入力番号検出部１８は、入力された電話番号を認識し、発電話番号と電話番号を連絡網管理部１１に通知する。  
Ｓ９０９：連絡網管理部１１は、該当連絡網データテーブル１２２の発電話番号を含む行から、通知された電話番号を検索する。  
Ｓ９１３：連絡網管理部１１は、行に電話番号がない（Ｓ９１１：ＮＯ）なら、音声送出部１７にエラー用ガイダンスの送出を指示する。  
Ｓ９１５：音声送出部１７は、電話回線接続部１６を通して、エラー用ガイダンスを電話端末に送出し、Ｓ９０１に戻る。  
エラー用ガイダンスは、例えば、「削除したい電話番号がありません」という内容である。
【００５１】
Ｓ９２１：連絡網管理部１１は、行に電話番号がある（Ｓ９１１：ＹＥＳ）なら、その電話番号と優先度を削除する。  
Ｓ９２３：連絡網管理部１１は、音声送出部１７に削除完了用ガイダンスの送出を指示する。  
Ｓ９２５：音声送出部１７は、電話回線接続部１６を通して、削除完了用ガイダンスを電話端末に送出する。  
削除完了用ガイダンスは、例えば、「電話番号と優先度を削除しましたので終了します」という内容である。  
Ｓ９２７：電話回線接続部１６は、電話端末との接続を切断し、処理が終わる。
【００５２】
図１３は、優先度変更処理のフローチャートである。  
Ｓ１００１：連絡網管理部１１は、音声送出部１７に優先度変更用ガイダンスの送出を指示する。  
Ｓ１００３：音声送出部１７は、電話回線接続部１６を通して、優先度変更用ガイダンスを電話端末に送出する。  
Ｓ１００５：メンバは、優先度変更用ガイダンスにしたがい、変更後の優先度を入力する。  
優先度変更用ガイダンスは、例えば、「新たな優先度を入力してください」という内容である。
【００５３】
Ｓ１００７：入力番号検出部１８は、入力された優先度を認識し、優先度と発電話番号を連絡網管理部１１に通知する。  
Ｓ１００９：連絡網管理部１１は、該当連絡網データテーブル１２２の発電話番号を含む行を検索し、行の発電話番号の優先度を、通知された優先度に変更する。  
Ｓ１０１１：連絡網管理部１１は、音声送出部１７に優先度変更用ガイダンスの送出を指示する。  
Ｓ１０１３：音声送出部１７は、電話回線接続部１６を通して、優先度変更完了用ガイダンスを電話端末に送出する。  
優先度変更完了ガイダンスは、例えば、「優先度を変更しましたので終了します」という内容である。  
Ｓ１０１５：電話回線接続部１６は、電話端末との接続を切断し、処理が終わる。
【００５４】
したがって、本実施の形態の連絡網サーバ１の動作方法によれば、連絡網サーバ１は、複数のメンバごとの行を備え、且つ、各行が、該当のメンバに付与されたアクセスキーと該当のメンバの連絡予定順序を含む連絡網データテーブル１２２を備え、動作方法は、連絡網管理部１１が、いずれかのメンバに使用される電話端末が連絡網サーバ１に接続し（Ｓ２３）、且つ、当該メンバに知らされたアクセスキーが入力された場合（Ｓ５０５）、連絡網データテーブル１２２から、当該アクセスキーを含む行を検索し（Ｓ５０９）、連絡網サーバ１に接続した電話端末の電話番号（発電話番号）を当該行に書き込む（Ｓ５１７）電話番号登録ステップと、連絡網管理部１１が、いずれかのメンバに使用される電話端末が連絡網サーバ１に接続し（Ｓ２３）、且つ、当該メンバより後の連絡予定順序のメンバへの連絡の指示があった場合（Ｓ３９：ＹＥＳ）、連絡網データテーブル１２２から、連絡網サーバ１に接続した電話端末の電話番号（発電話番号）を含む行を検索し（Ｓ６０１）、当該行から連絡予定順序を読み出し（Ｓ６０３）、連絡網データテーブル１２２から、当該連絡予定順序よりも後の連絡予定順序を含む行を検索し（Ｓ６０３）、当該行から電話番号を読み出す（Ｓ６０３）後電話番号検索ステップと、電話回線接続部１６が、連絡網サーバ１に接続した電話端末（発電話番号の電話端末）と後の連絡予定順序を含む行から読み出された電話番号の電話端末とを接続する（Ｓ６０７）後電話端末接続ステップとを含むことで、メンバの電話番号は連絡網サーバ１への登録と処理にのみ使用され、連絡網管理者にも他のメンバにも知らせる必要がないので、電話番号を知られずにメンバ間で連絡を行うことができる。
【００５５】
また、連絡網管理部１１が、連絡網サーバ１に接続した電話端末と後の連絡予定順序を含む行から読み出された電話番号の電話端末との接続が成功した場合、後の連絡予定順序を含む行から読み出された電話番号を直前メンバ情報として、連絡網サーバ１に接続した電話端末の電話番号を含む行（Ｓ６０１で検索した行）に書き込む（Ｓ６１７）直前メンバ情報書込ステップと、連絡網管理部１１が、いずれかのメンバに使用される電話端末が連絡網サーバに接続し（Ｓ２３）、且つ、当該メンバより前の連絡予定順序のメンバへの連絡の指示があった場合（Ｓ４１：ＹＥＳ）、連絡網データテーブル１２２から、連絡網サーバ１に接続した電話端末の電話番号を含む行を検索し（Ｓ７０１）、当該行から直前メンバ情報を読み出す（Ｓ７０３）直前メンバ情報検索ステップと、電話回線接続部１６が、連絡網サーバ１に接続した電話端末と当該直前メンバ情報の電話番号の電話端末とを接続する（Ｓ７０７）前電話端末接続ステップとを含むことで、不明点の問い合わせなどを行うことができる。
【００５６】
なお、連絡網サーバ１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００５７】
１…連絡網サーバ
２…電話端末
３…ＰＣ端末
１１…連絡網管理部
１２…連絡網記憶部
１３…連絡網表示部
１４…アクセスキー管理部
１５…特番管理部
１６…電話回線接続部
１７…音声送出部
１８…入力番号検出部
１２１…連絡網一覧テーブル
１２２…連絡網データテーブル
【図１】
2014138293.tif 000003
【図２】
2014138293.tif 000004
【図３】
2014138293.tif 000005
【図４】
2014138293.tif 000006
【図５】
2014138293.tif 000007
【図６】
2014138293.tif 000008
【図７】
2014138293.tif 000009
【図８】
2014138293.tif 000010
【図９】
2014138293.tif 000011
【図１０】
2014138293.tif 000012
【図１１】
2014138293.tif 000013
【図１２】
2014138293.tif 000014
【図１３】
2014138293.tif 000015